(57)【要約】      （修正有）【課題】ネットワークとやりとりするとき、消費者情報がこの統合されたコンテンツとやりとりし、消費者が手元のネットワークインタラクションタスクから逸脱することなく消費者の体感の一部として当該メッセージを可視化するように、メッセージを消費者に配信するように、消費者がネットワークとやりとりする前に、プロモート情報と非プロモートコンテンツとのコンピュータネットワークにより実現可能な統合を提供する。【解決手段】この統合は当該時点において可能な限り消費者インタラクションタスクの近くに、プロモートコンテンツを配置するため意味解析及び合成により実現される。このアプローチは、プロモータがスポンサーメッセージの効果を示すフィードバックを評価及び応答することを可能にしながら、メッセージとメディアプレースメントとのマッチングの現在のプラクティスを置換する。当該ネットワークはインターネットやイントラネットなどである。【選択図】図４
2014238858.tif 000002
【特許請求の範囲】
【請求項１】
消費者により生成されたコンテクストを用いて非プロモートコンテンツにより支持された情報の１以上のドメインから関連するメッセージングを合成するコンピュータネットワークにより実現可能な方法であって、
非プロモートコンテンツを取得し、前記非プロモートコンテンツを少なくとも１つのプロモータにリンクさせるステップと、
前記少なくとも１つのプロモートから宣伝マテリアルを受信するステップと、
消費者により生成されたコンテクストを受信するステップと、
１以上のコンピュータプロセッサが、前記非プロモートコンテンツと前記消費者により生成されたコンテクストとに基づき、前記少なくとも１つのプロモータに追跡可能な関連するメッセージングを意味解析及び合成するか、又は意味解析及び合成を実行するステップと、
を有し、
前記合成は、
前記少なくとも１つのプロモータから受信した宣伝マテリアルを複数のメッセージングリードに分解するステップと、
前記複数のメッセージングリードの少なくとも一部を選択し、前記消費者により生成されたコンテクストに基づき前記選択されたメッセージングリードを、前記受信した宣伝マテリアルから選択されたメッセージングリードの間に分散された関連する非プロモートコンテンツを有するメッセージに構成するステップと、
を有する方法。
【請求項２】
前記関連するメッセージングを前記消費者に出力するステップを更に有する、請求項１記載の方法。
【請求項３】
前記非プロモートコンテンツは、前記消費者により生成されたコンテクストに基づき前記１以上のドメインから選択される、請求項１記載の方法。
【請求項４】
前記消費者により生成されたコンテクストは、消費者ブラウジング情報を含み、
前記消費者ブラウジング情報は、消費者のブラウジングの主要なテーマを決定するため解析される、請求項３記載の方法。
【請求項５】
前記メッセージングは、前記選択されたドメインのランダムに選択されたサブセットから合成される、請求項１記載の方法。
【請求項６】
前記関連するメッセージングは、前記消費者により生成されたコンテクストに基づき前記非プロモートコンテンツの意味表現を含む、請求項１記載の方法。
【請求項７】
前記関連するメッセージングは、前記消費者により生成されたコンテクストに基づき前記非プロモートコンテンツと消費者とをマッチングする、請求項１記載の方法。
【請求項８】
ドメインアドミニストレータは、前記プロモータと前記ドメインの支持である前記非プロモートコンテンツとをリンクさせる、請求項１記載の方法。
【請求項９】
前記消費者により生成されたコンテクストは、消費者インタラクション情報を有し、
当該方法は更に、
ａ）前記消費者インタラクション情報を受信するステップと、
ｂ）１以上の関連する意味表現を特定するため、前記消費者インタラクション情報と前記生成された意味表現とを比較するステップと、
ｃ）前記消費者インタラクション情報と共に前記１以上の関連する意味表現を前記非プロモートコンテンツの表現を含む消費者コンセプト定義に意味合成するステップと、
を有する、請求項６記載の方法。
【請求項１０】
前記出力は、１以上のリンクされたウェブページの一部として前記関連するメッセージングを表示することを含み、
前記非プロモートコンテンツは、ハイパーリンクフォーマットによる、請求項２記載の方法。
【請求項１１】
可能な表示のため合成された前記非プロモートコンテンツが優先順位付けされ、
より高い優先度は、より高い表示確率及び／又はより高い表示順序の番号を生じさせる、請求項１０記載の方法。
【請求項１２】
前記優先度は、関連性、より高い料金、ＩＰアドレスの位置、ＧＰＳ座標又はこれらの組み合わせからなる群から選ばれたパラメータに基づく、請求項１１記載の方法。
【請求項１３】
可能な表示のため合成された前記非プロモートコンテンツは、複数のプロモータ又はメッセージを収容するようタイムスライスされる、請求項１０記載の方法。
【請求項１４】
前記消費者インタラクション情報は、インタフェース上の消費者入力、消費者人口統計情報、消費者ブラウジング情報、マシーンにより生成されるデータ、ＧＰＳデータ、センサデータ又はこれらの何れかの組み合わせを含む、請求項９記載の方法。
【請求項１５】
前記意味解析は、ファセット解析、エンティティ抽出、自然言語処理又はこれらの何れかの組み合わせにより提供される、請求項１記載の方法。
【請求項１６】
前記意味合成は、ファセット分類、意味推論手段、マルチ文書要約、フォーマルコンセプト解析、カスタマイズされた意味合成プロトコル又はこれらの何れかの組み合わせにより提供される、請求項１記載の方法。
【請求項１７】
前記消費者入力は、ウェブベースサーチクエリであり、
サーチ結果を有するウェブページが出力される、請求項１４記載の方法。
【請求項１８】
当該方法は更に、前記関連するメッセージング内の前記非プロモートコンテンツのパフォーマンスをモニタリングし、前記少なくとも１つのプロモータが前記パフォーマンスに基づき前記非プロモートコンテンツの意味解析及び／又は意味合成を評価及び更新することを可能にするステップを有する、請求項１記載の方法。
【請求項１９】
前記非プロモートコンテンツの意味解析及び／又は意味合成の料金が課金される、請求項１記載の方法。
【請求項２０】
複数の計算装置にリンクされるコンピュータネットワークを介し消費者により生成されたコンテクストを利用して、非プロモートコンテンツにより支持される情報の１以上のドメインから関連するメッセージングを合成するコンピュータシステムであって、
ａ）第１計算装置セットと、前記第１計算装置セットに関連する非プロモートコンテンツを取得する第２計算装置セットとであって、前記第２計算装置セットは更に、少なくとも１つのプロモータから宣伝マテリアルを受信するよう構成される、第１計算装置セット及び第２計算装置セットと、
ｂ）前記消費者により生成されたコンテクストを取得、受信又は生成し、前記消費者により生成されたコンテクストを前記第２計算装置セットに提供する第３計算装置セットと、
ｃ）前記第２計算装置セットにリンクされ、前記非プロモートコンテンツと前記消費者により生成されたコンテクストとに基づき、前記少なくとも１つのプロモータに追跡可能な関連するメッセージングを合成する意味解析手段及び意味合成手段と、
を有し、
前記合成は、
前記少なくとも１つのプロモータから受信した宣伝マテリアルを複数のメッセージングリードに分解するステップと、
前記複数のメッセージングリードの少なくとも一部を選択し、前記消費者により生成されたコンテクストに基づき前記選択されたメッセージングリードを、前記受信した宣伝マテリアルから選択されたメッセージングリードの間に分散される関連する非プロモートコンテンツを有するメッセージに構成するステップと、
を有するコンピュータシステム。
【請求項２１】
前記非プロモートコンテンツは、前記消費者により生成されたコンテクストに基づき前記１以上のドメインから選択される、請求項２０記載のコンピュータシステム。
【請求項２２】
前記消費者により生成されたコンテクストは、消費者ブラウジング情報を含み、
前記消費者ブラウジング情報は、消費者のブラウジングの主要なテーマを決定するため解析される、請求項２１記載のコンピュータシステム。
【請求項２３】
前記メッセージングは、前記選択されたドメインのランダムに選択されたサブセットから合成される、請求項２０記載のコンピュータシステム。
【請求項２４】
前記関連するメッセージングは、前記第３計算装置セットに提供され、
前記第３計算装置セットは、前記関連するメッセージングを前記消費者に出力する出力手段にリンクされる、請求項２０記載のコンピュータシステム。
【請求項２５】
前記第３計算装置セットは、前記コンピュータネットワークにリンクされた無線ゲートウェイと、前記無線ゲートウェイに無線リンク可能な１以上の無線装置とを含む、請求項２０記載のコンピュータシステム。
【請求項２６】
前記関連するメッセージングは、前記消費者により生成されたコンテクストに基づき前記非プロモートコンテンツの意味表現を含む、請求項２０記載のコンピュータシステム。
【請求項２７】
前記関連するメッセージングは、前記消費者により生成されたコンテクストに基づき前記非プロモートコンテンツと消費者とをマッチングする、請求項２０記載のコンピュータシステム。
【請求項２８】
ドメインアドミニストレータは、前記プロモータと前記ドメインの支持である前記非プロモートコンテンツとをリンクさせる、請求項２０記載のコンピュータシステム。
【請求項２９】
前記出力手段は、１以上のリンクされたウェブページの一部として表示手段を含み、
前記非プロモートコンテンツは、ハイパーリンクフォーマットによる、請求項２４記載のコンピュータシステム。
【請求項３０】
前記消費者により生成されたコンテクストは、消費者インタラクション情報を有する、請求項２０記載のコンピュータシステム。
【請求項３１】
前記消費者インタラクション情報は、インタフェース上の消費者入力、消費者人口統計情報、消費者ブラウジング情報、マシーンにより生成されるデータ、ＧＰＳデータ、センサデータ又はこれらの何れかの組み合わせを含む、請求項３０記載のコンピュータシステム。
【請求項３２】
前記意味解析手段は、ファセット解析、エンティティ抽出、自然言語処理又はこれらの何れかの組み合わせを提供するユーティリティを有する、請求項２０記載のコンピュータシステム。
【請求項３３】
前記意味合成手段は、ファセット分類、マルチ文書要約、フォーマルコンセプト解析、カスタマイズされた意味合成プロトコル又はこれらの何れかの組み合わせを提供するユーティリティを有する、請求項２０記載のコンピュータシステム。
【請求項３４】
前記消費者入力は、ウェブベースサーチクエリであり、
サーチ結果を有するウェブページが出力される、請求項３１記載のコンピュータシステム。
【請求項３５】
前記関連するメッセージング内の前記非プロモートコンテンツのパフォーマンスをモニタリングする手段を更に有し、前記少なくとも１つのプロモータが前記関連するメッセージングにおける非プロモートコンテンツの意味解析及び／又は意味合成を更新可能である、請求項２０記載のコンピュータシステム。
【発明の詳細な説明】
【技術分野】
【０００１】
本発明は、合成されたメッセージングとリアルタイム消費者コンテキスト情報とに関する。より詳細には、本発明は、宣伝処理を自動化するためのメッセージングの合成に関する。
【背景技術】
【０００２】
オンライン宣伝は、最近数年間に驚異的な拡大を示し、インターネットと同調して拡大している。それは、ランダムに表示された受動的な宣伝から各個人の人口統計的及び心理学的プロファイルに基づき特定の個人をターゲットとする宣伝まで進化してきている。このような技術の具体例は、米国特許７，０６２，４６６及び７，００７，０７４、並びに米国特許出願２００５／０２１６３３５、２００７／００３８５００、２００８／０２４３４８０、２００８／０２２８５６８及び２００９／００７０２１９により与えられる。宣伝に対するこれらすべてのアプローチが共通に有するものは、宣伝に適したコンテクストを確立することである。このコンテクストは、特定の個人又は消費者グループと、宣伝のためのコンテクストを提供するメディア又はコンテンツとをマッチングすることによって決定される。広範には、コンテクスト化は関連性マッチングとして知られている。オンライン宣伝はウェブページなどのメディアプレースメントのコンテクストと宣伝のメッセージとをマッチングする問題を解決しようとしていることが明らかである。
【０００３】
しかしながら、関連性マッチングは、はるかに大きな宣伝処理のごく一部である。典型的な宣伝処理は、複雑で時間のかかるものである。この結果、それは、専門的知識の欠落した多数の小企業や個人を排除する。典型的な宣伝処理の必須の要素の一部は、
・満たされていないニーズの予想を特定し、聴衆がいる環境を評価することによって聴衆を認識する
・マーケットセグメントを評価及び特定する
・メッセージングを配置及び開発すると共に、適切なメディアプレースメント及び購買を選択することによって、ターゲット聴衆に対する戦略を開発する
・宣伝キャンペーンを開発及び管理する
・セールス関連のフィードバックを開発及び実行する
・セールス関連データに対して解析を実行する
・キャンペーンのパフォーマンスに関して処理全体に必要な訂正をする
ことを含む。
【０００４】
この面倒な状況は、オンライン宣伝の出現とコンテクストにより生成される宣伝への進化とによってますます複雑になってきている。これらのアプローチは、技術的向上を表すが、依然として従来処理の範囲内に根付いたものであり、広告主は、マーケット解析、セグメント化、メッセージング、及びキャンペーン管理の求められるタスクを依然として実行する必要がある。他の企業は、キーワード及び意味的技術を利用して、既存の広告主により作成されたメッセージとターゲットセグメントとのマッチングを向上させるが、セグメント化は広告主により予め決定される必要がある。それの意義についてウェブページの解析は、所与のメッセージによりそれをターゲット化するか否かより良好に決定することを可能にするが、このターゲット化は、広告主の側における多くの困難でコストのかかる決定に基づく。再び、これらの具体例は、宣伝のための既存の従来処理の範囲内の技術的向上を表す。
【０００５】
最重要な宣伝方法であって、推進されたコンテンツのための最適なマーケットセグメント化及びメッセージングの検出を可能にし、広告主のコンテンツと消費者のアクションに応答して消費者により効果的に利用可能な個々の消費者との間の関連する関係及びメッセージングを特定及び生成することに関する技術は現在ない。
【発明の概要】
【発明が解決しようとする課題】
【０００６】
上記問題点に鑑み、本発明の課題は、推進されたコンテンツのための最適なマーケットセグメント化及びメッセージングの検出を可能にし、広告主のコンテンツと消費者のアクションに応答して消費者により効果的に利用可能な個々の消費者との間の関連する関係及びメッセージングを特定及び生成することに関する技術を提供することである。
【課題を解決するための手段】
【０００７】
本発明は、消費者により生成されたコンテクストを用いて情報のドメインからのメッセージングを合成するためのコンピュータネットワークにより実現可能な方法であって、（ａ）前記情報のドメインからコンテンツを取得又は受信するステップと、（ｂ）消費者により生成されたコンテクストを受信するステップと、（ｃ）１以上のコンピュータプロセッサが、前記コンテンツと前記消費者により生成されたコンテクストとに基づき、少なくとも１つのプロモータに追跡可能なメッセージングを合成又は合成を実行するステップとを有する方法を提供する。
【０００８】
本発明はまた、複数の計算装置にリンクされたコンピュータネットワークを介し消費者により生成されたコンテクストを用いて情報のドメインからのメッセージングを合成するコンピュータシステムであって、（ａ）第１計算装置セットと、前記第１計算装置セットから前記情報のドメインからのコンテンツを受信又は取得する第２計算装置セットと、（ｂ）消費者により生成されたコンテクストを取得、受信又は生成し、前記消費者により生成されたコンテクストを前記第２計算装置セットに提供する第３計算装置セットと、（ｃ）前記第２計算装置セットにリンクされ、前記コンテンツと前記消費者により生成されたコンテクストとに基づき、前記少なくとも１つのプロモータに追跡可能なメッセージングを合成する合成手段とを有するシステムを提供する。
【発明の効果】
【０００９】
本発明によると、推進されたコンテンツのための最適なマーケットセグメント化及びメッセージングの検出を可能にし、広告主のコンテンツと消費者のアクションに応答して消費者により効果的に利用可能な個々の消費者との間の関連する関係及びメッセージングを特定及び生成することに関する技術を提供することができる。
【００１０】
これに関して、本発明の少なくとも１つの実施例を詳細に説明する前、本発明は本願において、以下の説明に与えられるか、又は図面に示される構成要素の構成と構成の詳細とに限定されるものでないことが理解されるべきである。本発明は、他の実施例を可能にし、各種方法により実現及び実行可能である。また、ここに用いられる表現及び用語は説明のためのものであり、限定するものとして解釈されるべきでないことが理解されるべきである。
【図面の簡単な説明】
【００１１】
【図１】図１は、プロモータのメッセージングとメディアプレースメントとの間の関連性マッチングを示す。
【図２】図２は、本発明が分散したコンセプトを介しプロモータのコンテンツを利用可能にする本発明と従来のアプローチとの間の比較を示す。
【図３】図３は、プロモートされるメッセージがメディアプレースメントにマッチする処理のバイパスを示す。
【図４】図４は、プロモートされたコンテンツが処理済みの一体的な出力である処理を示す。
【図５】図５は、各種アルゴリズムにより生成されるコンセプトの定義の一部としてメッセージがプロモートされていないコンテンツとグループ化される解析ステージを示す。
【図６】図６は、消費者関連の入力が意味的合成を開始する合成ステージを示す。
【図７】図７は、意味的に合成されたウェブページを示す。
【図８】図８は、本発明の一態様によるネットワーク接続された実現形態を示す。
【発明を実施するための形態】
【００１２】
［定義］
本明細書で使用されるとき、以下の用語は以下の意味を有する。
【００１３】
“コンセプト”とは、他のコンテンツに関連する又は関連しない抽象的な思考、アイデア、概念及び意味を構成するコンテンツを意味する。
【００１４】
“消費者”とは、本発明により生成された合成メッセージングに関する何れかのエンティティを含む。それは、人間、人間の集団であってもよく、他のシステム統合シナリオでは、消費者はさらなる処理のサポートにおける情報のマシーンベースの消費者であってもよい。
【００１５】
“コンテンツ”とは、生データ、情報、テキスト、文書、画像、マルチメディア、又はウェブページ、ウェブサイト、文書、宣伝、マーケット解析などのより複雑なコンテンツを含む何れかのデータ又はメディアコンテンツを含む。“コンテンツ”は、抽象的な“コンセプト”を記述する意味データ、メタデータ及び情報などの他のコンテンツを記述する情報を含む。
【００１６】
“ドメイン”は、本発明に利用可能とされるコンテンツのソースを意味する。
【００１７】
“ドメインアドミニストレータ”は、１以上のドメインを本発明に利用可能にする何れかのエンティティを含み、ドメインアドミニストレータは、“プロモータ”であってもよいが、本発明のサービスオペレータ、より広い価値チェーン内の非アフィリエイトな個人又は組織（パブリックウェブサイトオペレータなど）であってもよい。
【００１８】
“メディアプレゼンテーション”は、同一のメッセージ又はメッセージングがメディアに適した異なる形式により表されてもよいように、テキスト、オーディオ、ビデオなどの異なるメディアにおいて異なる形式をとり得るプロモートされたメッセージ又はメッセージングのためのコンテナを提供する。
【００１９】
“メッセージ”又は“メッセージング”は、本発明により生成され、消費者を対象とする合成されたコンテンツを含む。
【００２０】
“非プロモートコンテンツ”は、以下の概略において与えられる意味を有する。
【００２１】
“プロモートコンテンツ”は、以下の概略において与えられる意味を有する。
【００２２】
“プロモータ”は、特定のコンテンツをプロモートし、コンセプト又はコンテンツをシード処理し、又は消費者に影響を与えるため、コンテンツを読み又は閲覧し、アイデアを考え、アクション（ウェブサイトへの訪問など）をとるかなどのメッセージングを指示することによって、本発明から利益を得ることを所望するエンティティを含む。
【００２３】
“シード”又は“シード処理”は、消費者の関心、要求、意図などの消費者に関する情報を収集するため、コンセプト又は他のハイレベルコンテンツによって、消費者の反応を特定するため、“コンセプト”又は他のハイレベルコンテンツを消費者に導くことを含む。
［概略］
本発明は、１以上のコンテンツのドメインに基づき又は通知されたメッセージングを生成し、ドメインの消費者に１以上のドメインからの関連するコンテンツを有するメッセージングを導く又は提供するため、コンピュータシステム、コンピュータにより実現される方法及びコンピュータプログラムを提供する。コンテンツは、宣伝などのメッセージングの生成、消費者による外側の思考を奨励するための“より緩い”関連付けを実現するドメインからのアイデアを提供することによる新たなコンテンツの生成に影響を与えるなどの特定の商業的目的のため、後述される広範な目的のため利用可能である。生成されるメッセージングは、宣伝処理の自動化を提供する。
【００２４】
本発明によると、ドメインは意味解析され、意味的合成の手段が、ドメインを表すためセマンティックネットワークを生成するのに利用されてもよい。セマンティックネットワークは、ＰＣＴ／ＣＡ２００９／０００５６７に開示されるものに従って完全なネットワークであってもよいが、セマンティックネットワークを生成するための他の手段が利用されてもよいことが理解されるべきである。
【００２５】
本発明の理解に資するため、本発明の処理が、本発明と相互作用する可変的な目的の観点から説明され、本発明の機能により可能とされるメッセージングを生成及び表示するための異なる処理が説明される。本発明は、本発明の機能とプロモータとの間のやりとりを含み、プロモータは、メッセージングが（ｉ）プロモートコンテンツ、（ｉｉ）プロモートコンテンツとさらなる非プロモートコンテンツ、又は（ｉｉｉ）非プロモートコンテンツに基づくものであってもよいように、本発明により生成されるメッセージングを消費者に導く。
【００２６】
本発明の処理によって、プロモータは、“コンセプト”又はドメインの他のコンテンツをシード処理することによって、ドメインからのコンテンツを有するメッセージングに消費者を導くことが可能である。“シード処理”の具体例は、“情報のドメイン及びドメインの意味表現の提供”という見出において後述される。本発明は、シード処理されたコンセプト又はコンテンツと情報ドメイン内のプロモート又は非プロモートコンテンツとの間の関係を検出する。プロモータは、プロモートコンテンツとしてドメインの基礎として利用するため、コンセプト又は他のコンテンツをドメインに直接提供してもよく、及び／又はプロモータは、ドメインの基礎としてドメインのすでに一部である非プロモートコンテンツを利用するようドメインアドミニストレータに指示するようにしてもよい。本発明は、この関係を自動的に提供可能であるが、プロモータ又はドメインアドミニストレータは、コンセプト及び／又はコンテンツを適切にシード処理するため生成される関係の自らの知識を利用してもよい。非プロモートコンテンツと特定のコンセプト又は他のコンテンツとの間の接続が、生成又は推論可能である（例えば、データ、文書、セマンティック又は他の情報エンティティの間のリンクを符号化するハイパーリンクなど）。ドメインの基礎を構成するプロモートコンテンツと非プロモートコンテンツとは、ドメインとの消費者のやりとり前に、合成、統合又は混合される。あるいは、プロモータは、任意的には、ドメインとの消費者のやりとり前にドメインの基礎を有する非プロモートコンテンツが合成、統合又は混合される間、プロモートコンテンツとしてドメインにコンセプト又は他のコンテンツを直接提供してもよい。
【００２７】
消費者は、ドメインを表すセマンティックネットワークとやりとり可能である。消費者がセマンティックネットワークとやりとりするとき、消費者インタラクション情報（コンテクストを提供する）は、この合成、統合又は混合されたコンテンツとやりとりし、コンセプト及びコンテンツと、コンセプト又は他のコンテンツとドメインとの間の接続とに基づき、プロモートコンテンツ、非プロモートコンテンツ又は新規コンテンツを含むものであってもよい、ドメインの基礎から導出されたコンテンツを有するメッセージングを消費者に配信する。消費者は、例えば、消費者の経験の一部としてメッセージを認識するが、実際には、本発明の処理により手元の特定の消費者のやりとりに調整された特定のメッセージを受信する（消費者の入力又は他の消費者のアクション）。また、意味解析及び／又は合成による合成、統合又は混合が、本例で行われる消費者のやりとりに近い関連付けにおいてメッセージを配置するのに利用可能である。
【００２８】
この統合及びインタラクションアプローチは、例えば、消費者に関心があると信じられている方法により、メディアプレースメントに基づき消費者に（プロモートされてもよい）メッセージにマッチする現在のプラクティスを置き換える。この統合及びインタラクションアプローチは、特定のメディアプレースメント位置におそらく関連する消費者のやりとりよりも実際の消費者のやりとりに反応し、よりターゲット化されたメッセージング（宣伝など）を可能にする。さらに、プロモータは、宣伝などの相対的に複雑なメッセージング又は異なる消費者コンテクストのための複数のバージョンの宣伝を生成する時間及びコストを受ける必要はないが、本発明の処理を介しこのような異なる消費者のコンテクストに密接に関連するメッセージングの生成を利用することによって、多数の異なる消費者のコンテクストとコンテンツとを統合することによって、ドメインの基礎を単に提供するようにしてもよい。
【００２９】
さらに、プロモータは、ドメインと、当該ドメインにより表されるコンセプト又は他のコンテンツと消費者との間の接続とを利用することによって、消費者をメッセージングに導くことが可能である。
【００３０】
プロモートコンテンツは、いくつかのソースから生成されてもよい。例えば、プロモートコンテンツは、金銭的又は非金銭的目的に関係なく、プロモータにより生成され、又はプロモータにより収集される何れかのコンテンツであってもよい。これは、プロモータが消費者への配布のため支払う意思があるコンテンツを含むものであってもよい。このようなコンテンツの一例は、関連するウェブサイトへのハイパーリンクを含む宣伝であり、プロモータは宣伝がターゲットする聴衆に届くことを確信するのに興味がある。
【００３１】
非プロモートコンテンツは、プロモータにより又はのための現在の貢献又は収集なしにドメインに存在するコンテンツであってもよい。非プロモートコンテンツは、以前に貢献した情報（例えば、以前の宣伝キャンペーンに使用された宣伝など）、プロモータに関連しない他者による貢献又は一般に利用可能なコンテンツ（パブリックドメインから取得されるコンテンツなど）に関するものとすることができる。
【００３２】
本発明の利用を管理又は実行するドメインアドミニストレータは、非プロモートコンテンツとコンセプト又はプロモータに関心のある他のコンテンツとの間の接続の生成又は推定を生成又は実行するものであってもよい。ドメインアドミニストレータは、ドメインにおける接続を知っており、特定のコンテクストをプロモータにより所望されるか、又は関心のあるコンセプト又は他のコンテンツにターゲット化することができる。従って、消費者は、自動化された処理を体感し、これにより、プロモータに所望されるメッセージングを受信する。プロモータは、プロモートコンテンツを提供する必要なく、消費者に当該メッセージングを導くことが可能である。
【００３３】
本発明では、ここに提供される機能は異なるエンティティにより実行されてもよいことが理解されるべきである。例えば、ドメインアドミニストレータは、非プロモートコンテンツの選択又は蓄積を実行してもよく、他のエンティティは、消費者が関心のあるものを決定し、さらにコンテンツと消費者の興味との間の接続又は推定を可能にするようにしてもよい。エンティティは、これらの処理を実行するための自動化された手段を利用可能である。さらに、本発明の各種機能は、複数の異なるコンピュータシステムに分散可能である。
【００３４】
また、プロモートコンテンツと非プロモートコンテンツとは、特定のケースでは、相容れないものでないことが理解されるべきである。例えば、プロモータは、プロモータにより利用可能とされる公衆に利用可能なコンテンツのドメイン内の特定のコンテンツをプロモートすることを所望してもよい。特定のコンテンツは、プロモータにより提示されてもよく、プロモート情報オブジェクト（すなわち、非プロモートコンテンツ）のための基礎として利用される公衆に利用可能な情報の広範なドメインにより表現されてもよい。
【００３５】
消費者をメッセージングに導き、又はメッセージングを消費者に提供することを可能にするため、本発明は、プロモートコンテンツ又は非プロモートコンテンツを受信し、コンテンツを意味解析し、生成されたコンセプトの定義内の関連するプロモート又は非プロモートコンテンツのメディア表現がプロモータに追跡可能となるように、コンセプトの意味表現（以降、“コンセプト定義”）を生成することによってコンテンツを合成、統合又は混合することを含む、セマンティックネットワークを生成するためのコンピュータネットワークにより実現される方法を有する。さらに、生成されるコンセプト定義は、非プロモートコンテンツの一部として利用されてもよい。
【００３６】
生成されたコンセプト定義は、消費者インタラクション情報と比較され、関連するコンセプト定義は、合成された消費者コンセプト定義内の関連するプロモート又は非プロモートコンテンツのメディア表現がプロモータに追跡可能であり、消費者に提供されるように、消費者インタラクション情報と共に、プロモート及び非プロモートコンテンツと消費者コンセプト定義に意味合成されてもよい。
【００３７】
本発明を実行する際に実行されるステップのシーケンスは、本発明の処理に重要でないことが理解されるべきである。例えば、システムは、プロモートコンテンツと、任意的には非プロモートコンテンツとの取得前、取得時又は取得後、消費者インタラクション情報を取得可能である。簡単化のため、一般に、プロモートコンテンツと、任意的には非プロモートコンテンツとは消費者インタラクション情報の前に取得されるが、その順序は本発明に影響を与えることなく変更可能であるケースとなるであろう。
【００３８】
本発明はまた、プロモートコンテンツと非プロモートコンテンツとを同時に受信し、プロモートコンテンツを非プロモートコンテンツにより意味解析し、合成、統合又は混合されたコンテンツ内の関連するプロモート又は非プロモートコンテンツのメディア表現がプロモータに追跡可能となるように、消費者インタラクション段階においてプロモートコンテンツと非プロモートコンテンツとを合成、統合又は混合することを含む、コンピュータネットワークベースの実現形態を有する。意味解析されたコンテンツとの消費者のやりとりは、例えば、合成、統合又は混合されたコンテンツがハイパーテキストフォーマットによるものとなるように、ネットワークウェブページの一部として表示される関連のある意味解析されたコンテンツの意味合成であるメッセージングを生じさせる。
【００３９】
本発明はさらに、合成された消費者コンセプト定義内の関連するプロモート又は非プロモートコンテンツのメディア表現がプロモータに追跡可能となるように、消費者インタラクション情報とすべてのコンテンツとを消費者コンセプト定義に意味合成することによって、消費者インタラクション情報をプロモートコンテンツ及び非プロモートコンテンツとを合成、統合又は混合するためのコンピュータネットワークにより実現可能な方法を有する。
【００４０】
本発明はさらに、ネットワークとの消費者のやりとり前にプロモートコンテンツと非プロモートコンテンツとを合成、統合又は混合するためコンピュータネットワークにより実現可能な方法を実行するシステムであって、コンピュータネットワークと、コンテンツ受信手段と、意味解析実行手段と、ネットワーク上に合成、統合又は混合された合成コンテンツを出力する手段とを有し、プロモートコンテンツと非プロモートコンテンツとを受信し、コンテンツを意味解析し、生成されたコンセプト定義内の関連のあるプロモート又は非プロモートコンテンツのメディア表現がプロモータに追跡可能となるように、コンセプト定義を生成することによって、コンテンツを合成、統合又は混合するよう動作可能なシステムを有する。
【００４１】
本発明では、本発明の完全な実現形態は、分散化され、ネットワーク接続された計算環境上で実行可能である。これは、ユーザがそれらをサポートする技術インフラストラクチャを知り、専門知識を有し、又は制御することなく、“クラウド”において技術対応可能なサービスにアクセスすることが可能であるインターネットベース技術開発及びサービス開発に基づく本発明の実現形態を含む。インターネットベースの計算はさらに、ＳａａＳ（Ｓｏｆｔｗａｒｅ  ａｓ  ａ  Ｓｅｒｖｉｃｅ）、分散ウェブサービス、Ｗｅｂ２．０及びＷｅｂ３．０モデル下で記述された変形、及び他のインターネットベース配信機構を含む。クラウド計算を介することを含む、このような分散化及びネットワーク接続された計算環境において本発明の実現形態を説明するため、本開示は、複数のコンピュータセットを利用する本発明の特定の実現形態を参照する。本発明は何れか特定のコンピュータシステム、アーキテクチャ又はネットワーク上でそれの実現形態に限定されるものでないことが理解されるべきである。また、本発明は、有線ネットワークに限定されず、例えば、無線ゲートウェイにより無線装置とシステムとをリンク付けすることによって、モバイルコンピュータと無線ネットワーキングアーキテクチャとを用いて実現可能であることが理解されるべきである。
【００４２】
典型的には、少なくとも１つの計算装置セットは、プロモート又は非プロモートコンテンツ（又は両方）を生成又は抽出し、実行する第２計算装置セットにネットワークを介し送信し、情報のドメインを提供するため関連するコンテンツを意味解析及び合成し、消費者インタラクション情報の送信元の少なくとも第３計算装置セットが、消費者インタラクション情報を受信先の第２計算装置セットに送信する。第３計算装置セットはまた、ネットワークを介し第２計算装置セットにより提供されるメッセージングを受信し、メッセージングを消費者に表示する。
【００４３】
本発明は、解析ステージ（又は合成ステージ）への出力からのフィードバックループを含むものであってもよい。これは、出力内に表示されるメッセージを有するプロモート又は非プロモートコンテンツのパフォーマンスに関するフィードバックレポートと、システムにより検出されるマーケットセグメントと他のマーケット解析とをプロモータに示すための機構とを表す。意味解析及び合成処理は、プロモート又は導かれたコンテンツを経時的にメッセージングにより最適に統合するための結果としての調整によって、パフォーマンスレポートに適応的である。
［情報のドメインとドメインの意味表現との提供］
上述されたように、本発明は、情報のドメインに基づき又は通知されたメッセージングを生成し、ドメインの消費者を関連するコンテンツを有するメッセージングに導くためのシステム、コンピュータネットワークにより実現可能な方法及びコンピュータプログラムを提供する。
【００４４】
特定の情報のプロモータは、ドメインの基礎を提供するため、ドメインにコンセプト又は他のコンテンツをシード処理することによって、メッセージングを消費者に導くことが可能である。シード処理されたコンセプト又は他のコンテンツは、情報のドメイン内のプロモート又は非プロモートコンテンツに関するものであってもよい。例えば、プロモータは、プロモートコンテンツとしてコンセプトをドメインに直接提供してもよいし、又はドメインアドミニストレータがドメインのすでに一部である非プロモートコンテンツを検出又は生成し、プロモータにより所望される非プロモートコンテンツとコンセプトとの間の自動化手段による接続の生成又は推定を生成又は実行するよう指示してもよい。プロモートコンテンツと非プロモートコンテンツとは、ドメインとの消費者のやりとり前に合成、統合又は混合される。
【００４５】
簡単化のため、ドメインは、プロモートコンテンツ又は非プロモートコンテンツとの一方又は双方を有する。
【００４６】
プロモートコンテンツはプロモータにより生成される必要はないことが理解されるべきである。その代わりに、それは、プロモータにより収集され、ドメインに寄与する非プロモートコンテンツを有することが可能であるか、又はこれはプロモータのために実行可能である。プロモータ又はそのためのエンティティは、消費者が導かれるメッセージとコンテクストとの間の接続を生成するコンテンツを生成又は収集する。
【００４７】
他方、非プロモートコンテンツは、プロモータによる現在の貢献又は収集なしにドメインに存在するコンテンツであってもよい。非プロモートコンテンツは、以前に貢献した情報（例えば、以前の宣伝キャンペーンにおいて利用された宣伝など）又はプロモータに結び付けられない他者による貢献に関するものとすることができる。ドメインアドミニストレータは、当該情報を検出し、プロモータにより所望されたコンセプト又は他のコンテンツと非プロモートコンテンツとの間の自動化手段による接続の生成又は推定を生成又は実行することができる。非プロモートコンテンツはまた、本発明の処理によってコンテンツの生成のための基礎を提供可能な公衆に利用可能な情報（パブリックドメイン）から構成されてもよい。
【００４８】
ドメインアドミニストレータは、プロモータに意味的に関連のための非プロモートコンテンツを含む１以上のドメインにアクセスしてもよい。ドメインアドミニストレータは、各ドメインの接続の知識を有し、プロモータにより所望されたコンセプト又は他のコンテンツに特定の消費者コンテクストをターゲット化することが可能である。従って、プロモータは、消費者にプロモートコンテンツを提供するのに必要とされることなく、メッセージングに導くことが可能である。
【００４９】
例えば、ドメインアドミニストレータは、他のキーワード又は用語に関するキーワード又は用語のリストを編集してもよい。プロモータは、接続を所望する非プロモートコンテンツに関してドメインアドミニストレータに照会し、ドメインアドミニストレータに関連する非プロモートコンテンツの他の用語によるリスト上の所与のコンテクストに関連するキーワードと用語との間の接続を生成又は検出するため従事させることが可能である。これらの新たな接続は、ドメインにより意味解析され、セマンティックネットワークが生成されると、所与のコンテクストが消費者により提供されるとき、消費者がコンテンツを有するメッセージングに導かれることを可能にする。ドメインアドミニストレータは、自動化された処理を利用して、例えば、１以上のドメインからのコンテンツの収集などを含むそれの機能を実行することができることが理解されるべきである。
【００５０】
プロモートコンテンツと非プロモートコンテンツとの一方又は双方を有するドメインが意味解析され、意味合成手段が、ドメインを表すためセマンティックネットワークを生成するため利用されてもよい。セマンティックネットワークは、上述されたように、ＰＣＴ／ＣＡ２００９／０００５６７に開示されるものに従って考えられたネットワークであってもよい。
【００５１】
消費者は、ドメインを表すセマンティックネットワークとやりとり可能である。消費者がネットワークとやりとりするとき、消費者インタラクション情報（コンテクトを提供する）は、この合成、統合又は混合されたコンテンツとやりとりし、コンセプトとドメインとの間の接続とコンセプトとに基づき、誘導されたメッセージを消費者に配信する。消費者には、消費者の体感の一部として誘導されたメッセージのメディア表現が提供される。意味解析及び合成による合成、統合又は混合は、当該時点で消費者インタラクションタスクに可能な限り近くにメッセージを配置するのに利用可能である。
【００５２】
メッセージングのため非プロモートコンテンツを提供する１以上のドメインが、ドメインアドミニストレータにより指示されるように、又は自動的に選択可能である。例えば、１以上のドメインが、消費者インタラクション情報又は他の消費者により生成されたコンテクストに基づき選択可能である。１以上のドメインがまた、例えば、限定的な数量の非プロモートコンテンツしかメッセージングに必要とされず、非プロモートコンテンツのより多くの数量が複数のドメインにおいて利用可能である場合、消費者インタラクション情報に意味的に関連する複数のドメインからランダムに又はシステマティックにサブセットとして選択可能である。
【００５３】
消費者インタラクション情報は、消費者ドリブン又はマシーンドリブンであってもよい。例えば、消費者インタラクション情報は、ユーザインタフェースを介し提供される消費者入力、消費者人口統計情報、消費者ブラウジング情報、マシーンにより生成されるデータ、ＧＰＳデータ、センサデータ又はこれらの何れかの組み合わせを含むものであってもよい。消費者の入力は、ウェブベース検索クエリに応答して提供されてもよい。消費者ブラウジング情報はまた、消費者のブラウジングの主要なテーマを決定するため解析可能である（再発するものや他のテーマに対して優位なものなど）。
【００５４】
あるいは、消費者は、例えば、１以上の消費者のやりとりの最中に収集された思考などの情報を格納するものであってもよい。さらに、消費者は、例えば、ウェブページ、文書又は電子メールの一部を選択することによって、消費者インタラクション情報を収集するためコンテンツを選択してもよい。思考又は選択は、そのように構成され、消費者インタラクション情報として以降に提供されるように、消費者又は本発明によって留保可能である。消費者がこれらの思考及び選択を留保し、消費者のアクションによって又は自動化によって消費者インタラクション情報として提供することを可能にするためのツールが提供できる。
【００５５】
さらに、消費者インタラクション情報が、リアルタイムに、遅延して、又は集約したセットにより提供可能である。例えば、経時的に構成されたセットから構成され、設定された頻度で処理され、閾値数の消費者インタラクションまで構成されてもよい消費者インタラクションの集約的なセットが、システムによって一緒に処理可能である。集約的なセットは、システムによるそれの利用前に解析可能である。
【００５６】
この統合及びインタラクションアプローチは、メディアプレースメントに一致するメッセージの現在のプラクティスを置き換える。従って、プロモータは、本発明を利用して多数の異なる消費者コンテクストとコンテンツとを自動的に統合することが可能であるため、複数の複雑なプロモートマテリアルを生成及び配布する時間及び費用を受ける必要がない。本発明を通じて、プロモータは、ドメインの基礎と、ドメインにより表されるコンセプトとと消費者との間の接続とを利用することによって、消費者にメッセージングを導くことが可能である。
【００５７】
ドメインの消費者をメッセージングに誘導することを可能にするため、本発明は、プロモートコンテンツ又は非プロモートコンテンツを受信し、コンテンツを意味解析し、生成されたコンセプト定義内の関連するプロモート又は非プロモートコンテンツのメディア表現がプロモータに追跡可能となるように、コンセプト定義を生成することによって、コンテンツを合成、統合又は混合することを含む、セマンティックネットワークを生成するためのコンピュータネットワークにより実現可能な方法を有する。生成されたコンセプト定義は、消費者インタラクション情報と比較され、合成された消費者コンセプト定義内の関連するプロモート又は非プロモートコンテンツ関連するコンセプトのメディア表現がプロモータに追跡可能であり、消費者に提供されるように、関連するコンセプト定義が、消費者インタラクション情報と共に、プロモート及び非プロモートコンテンツを有する消費者コンセプト定義に意味的に合成される。
［プロモート又は非プロモートコンテンツの合成、統合又は混合］
本発明は、カスタマをターゲットとした情報であるメッセージングの整形がカスタマの参加に実質的に基づくインタラクティブカスタマ体感を提供する。カスタマは、製品又はサービスの既存の若しくは潜在的なカスタマ又は既存のカスタマ若しくはエンドユーザであってもよい。メッセージングは、プロモートコンテンツと非プロモートコンテンツとを含むものであってもよい。プロモートコンテンツは、例えば、上述されるように、カスタマのためカスタマをターゲットとした情報に含まれるべきプロモータにより所望される何れかのコンテンツであってもよい。例えば、プロモータは、製品又はサービスの販売をプロモートする広告主、ある大義をプロモートする政治的主張グループ、情報をパブリックドメインに配布する政府団体、メンバーに情報を配布するコミュニティ若しくは社会グループであってもよい。メッセージングは、宣伝及び／又は消費者向けの他の通信、特に消費者のために消費者のやりとりに基づき生成される情報などの情報プロダクトを含むものであってもよい。メッセージングはまた、例えば、消費者のやりとりとの接続の生成又は推定を可能にする公衆に提供されるコンテンツなどの非プロモートコンテンツを含むものであってもよい。
【００５８】
メッセージングは、消費者コンテクストと、プロモートコンテンツ、非プロモートコンテンツ及び関連するコンテンツとの間の接続を推定することによって生成されてもよい。これらの接続は、意味的合成手段を用いて推定されてもよい。結果として得られる消費者向けコンテンツは、消費者コンテクストに概念的に関連する。
【００５９】
インタラクティブな消費者体感はまた、消費者に関連する又は生成されたコンテンツだけでなく、情報ソースに対して情報処理を実行することによって、関連するマッチング処理をバイパスするため、宣伝又は他のメッセージなどのプロモートコンテンツの情報ソースを利用することによって実現可能である（例えば、プロモートされた通信など）。このアプローチは、消費者が自らのアクティビティを介し概念的に関連するプロモート又は非プロモートコンテンツを自動的に検出し、やりとりすることを可能にし、これらの消費者が消費者のコンテクストとメッセージングとの双方をリアルタイムにより整形することを可能にする。
【００６０】
プロモートコンテンツが宣伝に関するコンテンツから構成される場合、非プロモートコンテンツによりプロモートコンテンツの情報ソースを処理するためのアプローチは、処理レベルにおける従来の宣伝の面倒なプラクティスの多くを阻止する。これによって、プロモータでなく消費者が、消費者コンテクストとメッセージングとの双方を整形可能であり、広告主が特定の目的を有する消費者に直接的なメッセージングを効果的に実行するのに一般的に求められるマーケット解析、戦略展開及びポジショニングステップなどのエリアにおいて、ハードワークの多くを省略することを可能にする。さらに、コストと時間のかかる通信展開、聴衆セグメント化又は複雑なメディア購入及び配置アクティビティの必要はもはやなくなり、宣伝とプロモーションのコストを劇的に低下させることが可能である。さらに、メッセージングと、関連するプロモート又は非プロモートコンテンツと、それらの提供のための効果的なコンテクストとが、プロモータでなく消費者により規定され、メッセージングの全体的な効果が向上する。他の大きな効果は、適切にターゲット化及び時間処理されたメッセージが、迷惑でなく有用な情報として消費者により認識される（従来処理により配信されるような大部分の宣伝と異なって）。さらに、マーケットフィードバック及び解析は、本発明の処理を介し自動的に検出及びレポートされるマーケット解析により従来の骨の折れる重要なアクティビティを置換することによって大きく簡単化される。本発明は、プロモータが聴衆を正確に規定及びターゲット化する必要がないため、宣伝とプロモーションの検出ベースのモードを提供する。より広範で予期されない聴衆は、当該検出ベースのアプローチの他の効果である。マーケット解析とセグメント化との要求は減少又は完全に置換されるため、プロモータは、自らの聴衆の正確な定義なしにアクティビティをプロモートすることが可能であり、プロモーションニーズに対して最適な聴衆とマーケットとを知ることができる。さらに、広告主は、自らのコンテンツの何れの側面がマーケットに反響したか検出可能であり、自らのコンテンツに適切な調整を実行することを可能にする。
【００６１】
意味的合成は、情報のドメインに対する意味解析の結果により提供される用語集に対する合成を実行するため提供されてもよい。意味解析手段は、任意的には、意味合成のため入力された消費者コンセプト定義を生成するため提供されてもよい。本発明の一実現形態では、意味解析及び合成は、コンテンツを消費者にプロモートする問題スペースに適用される。それは、従来のアクティビティの多くを一緒に置換することによって、従来のアプローチを簡単化及び混乱させる。本発明は、以下でより十分に説明される図４に示されるものなどの処理により可能とされてもよい。この態様によると、本発明により可能とされるシステムは、以下でより十分に説明されるように、ステージング、解析、合成、消費者のコンセプトの定義の生成、出力及びフィードバックの各ステップを含むものであってもよい。この処理はさらに、リアルタイム処理の効率を実現するための制限に依存させることが可能である。すなわち、本発明による消費者のインタラクションは、よりコスト効果的な結果を提供するため、特定の制約内の意味のある出力をもたらしうる。これらの制約は、システム又は環境により提供される物理的制約に基づきシステムを最適化するため提供されてもよい。例えば、これらの制約は、処理時間、利用可能なＣＰＵサイクル若しくは使用することが所望される最大ＣＰＵサイクル、占有されるデータ量に対する制限、帯域幅制約、又はシステムのパフォーマンスに影響を与えうる他の何れかの意味のある制約に基づき、ステージング、解析又は生成時間制限を含むものであってもよい。
【００６２】
あるいは、ドメインのステージング及び意味解析を必要とする代わりに、すでに解析されたコンテンツのドメインが提供可能である。例えば、意味解析されたドメインを提供する注釈付けされたドメイン又は構造化されたドメインが、システムにより利用可能である。
【００６３】
さらに、備えられる場合、意味解析手段は、第三者によって及び／又は遠隔地において備えることが可能である。意味合成ステージへの入力は、それを生成するのでなく意味解析を取得又は受信することによって提供可能である。
【００６４】
システムは、プロモータが生成若しくは収集及び提供若しくは特定するソースからのコンテンツをロード、抽出又は提供されてもよく、当該コンテンツを要素レベルに分解してもよい。消費者アクションに応答して、システムは、これらの要素から構成された宣伝などのメッセージングを生成し、例えば、消費者コンテクストに関する情報を利用してメッセージングが関連し、適切であることを保証する。コンテンツは、例えば、消費者が訪問しているウェブサイト、ソーシャルネットワーキングプロファイルなどのプロファイリングデータ、又はサービス利用解析及びログなど、間接的な手段に基づくものとすることが可能な消費者の関心に基づきエンティティにより生成又は導出可能である。第３エンティティが情報とプロモートコンテンツとの間の接続を管理可能である間、他のエンティティがプロモートコンテンツを処理可能である。第３エンティティは、出力のため消費者の計算装置にメッセージングを提供可能である。システムは、それが生成したメッセージングの性質及びボリュームとに関するデータを収集してもよい。これから、それは、プロモータがそれのソースコンテンツに調整し、それのプロモーションをモニタするのに利用可能なレポートを生成してもよい。
【００６５】
システムは、例えば、ここに開示されたソースプロモートコンテンツ、消費者及び処理エンジンに関連する装置を含む少なくとも３つの計算装置セットなどを有する分散化及びネットワーク接続された計算環境を用いて実現されてもよい。
【００６６】
消費者は、消費者インタフェースを用いて入力を提供し、計算装置から出力を受信してもよく、又は消費者情報は、人口統計情報のトラッキング又は消費者に関する情報のブラウジングなどの他の手段により提供可能である。
［消費者と宣伝とのマッチング］
以下において、ドメインの基礎が宣伝から構成されるプロモートコンテンツである本発明の実現形態が説明される。本例の非プロモートコンテンツは、パブリックドメインにおいて利用可能なコンテンツから構成される。しかしながら、ドメインの基礎は、例えば、ドメインアドミニストレータが非プロモートコンテンツと情報のドメインとの間の接続の生成又は推定を可能又は実行する場合など、非プロモートコンテンツとすることができることが理解されるべきである。
【００６７】
本発明は、メディア表現（ウェブページなど）の宣伝ソースコンテンツとインターネットなどのネットワーク上で消費者により生成される入力とをマッチングするためのコンピュータにより実現される方法及びシステムを提供する。情報のドメインは、インターネット上のメディア表現（ウェブページや他のデジタルメディアなど）のすべて又は一部から構成可能である。
【００６８】
消費者により生成された情報が宣伝とマッチングされる図１により与えられる従来技術において一般的なプラクティスと対照的に、本発明は、宣伝ソースコンテンツを用いて消費者とマッチングする。これは、宣伝ソースコンテンツをアトミックレベルに分解し（すなわち、一緒にとられた多数の異なるコンセプトの分解が、宣伝の意味を有する）、アトミック化コンセプトに関連するメッセージングリードを合成することによって実現可能である。宣伝ソースコンテンツは、情報のドメインにより意味解析されるか、又はシステムに提供され、アトミック化コンセプトのコレクションの意味解析手段は、ドメインを表すセマンティックネットワークを提供する（ソースコンテンツを含む）。意味解析及び合成のための可能な方法が、以下においてより十分に説明される。
【００６９】
ここでのアトミック化コンセプトは、より狭い意味に徐々に分解されてもよい要素コンセプトを表す。従って、メッセージングリードが全体として消費者により生成された情報の周囲にワイドネットを投げる一方、それらはさらに、特有のトピック内の消費者の関心の測定可能な意味的相違に個別にマッチングできる。このマイクロレベルマッチングは、関連するパブリック及び／又はプライベートドメイン情報とすでに合成、統合又は混合された宣伝ソースコンテンツと消費者の関心とを合成、統合又は混合することによって、関連性マッチングの全体処理を省略する。
【００７０】
従来技術によるアプローチと本発明との比較が、従来技術の宣伝が消費者に全体的に伝送される図２により示される。対照的に、図２の下部に示されるように、本発明は、出力に分散させるコンセプトに付属させることによって、プロモート又は非プロモートコンテンツを利用可能にする。ここで、出力は、１以上のメッセージのための基礎を形成する消費者により規定されたコンテクストの結果である。
【００７１】
図３に示されるように、メッセージのコンテクストをメッセージングリードに意味的に処理することによって、極めて詳細なレベルにより消費者（このケースでは、ウェブユーザ）からのコンテクストをメッセージとマッチングすることが可能であり、これにより、メディア配置を一緒に省略することができる。これは、各種ソースからのコンテンツをステージングすることによって実現される。コンテンツのステージングは、外部コンテンツ（情報のドメイン、プロモートコンテンツ及び非プロモートコンテンツを含む各種ソースから）がシステムスキーマにマッピングされる段階を表す。外部コンテンツは、処理可能なコンテンツの性質を含む基準に基づき特定されてもよい。例えば、選択可能なドメインからのコンテンツは、意味解析手段により処理されるよう処理可能なすべてのコンテンツを含むものであってもよい（非構造化テキストの自然言語処理、名称化されたエンティティの抽出、意味的表現のためのオープンな規格を介したリンクされたデータへのマッピング、当該分野において周知な他の多数のアプローチなどのアプローチを含む）。
【００７２】
外部コンテンツはまた、例えば、意味的に注釈付けされたウェブコンテンツ又は１以上の消費者からの思考ネットワークなど、他の構造化された情報ドメインにより提供されてもよい。思考ネットワークがステージングされる外部コンテンツとして提供されることを可能にするためのツールが提供されてもよい。外部コンテンツの他の形態が提供可能であることが理解されるべきである。
【００７３】
その後、ステージングされたコンテンツは、消費者情報により生成される消費者コンテクストにマッチするメッセージに合成される意味的に解析及び注釈付けされたコンテンツに分解される。コンテンツの意味解析は、すべてのソースからのコンテンツが要素レベルに分解され（アトミック化コンセプト）、意味合成の準備ができている段階を表す。コンテンツは、プロモータにより直接開示又は収集されたプロモートコンテンツと、イントラネット、ＲＳＳフィード、プライベートブログ又はネットワークにおいて利用可能なプライベートコンテンツの何れかのソースなど、パブリックウェブサイト又は非パブリックソースからの非プロモートコンテンツとを含むものであってもよい。
【００７４】
コンテンツのステージング及び解析後、処理された宣伝ソースコンテンツは、宣伝メッセージのコンテンツソースからのアトミック化コンセプト又は要素コンテンツを用いて合成されるメッセージングリードを含むものであってもよい。このコンテンツのソースは、例えば、広告主のウェブページ、プロモータの宣伝を含む第三者のウェブページ、プロモータにより開示される直接的なコンテンツ、プロモータによりリンク付けされるコンテンツ、プロモータの製品に関するコンテンツ、広告主のプロモータに関する技術的コンテンツ又はそれの製品などを含む、プロモータにリンク付けされた何れかのソースであってもよい。コンテンツのさらなるソースには、ユーザインタフェースを有するセルフサービスユーティリティが実行するプロモータにより提供されてもよい。このセルフサービスユーティリティは、プロモータがウェブサイト又は直接的なマテリアルの送信とのリンクであるかにかかわらず、自らの情報ソースをオンラインで登録及び開示することを可能にする。プロモータは、提供されるサービスのための商業的取引に入るため、選択可能なオプションリストから選択可能である。同期されたメッセージングが消費者により生成されたコンテクスト内に配置されると、プロモータのインタラクティブ情報は、消費者のインタラクションに利用可能とされてもよい。これは、プロモータが消費者のコンテクストにより概念的に関連する方法により、消費者との取引に入ることを可能にする。
【００７５】
例えば、プロモータは、消費者のやりとりのためのソースとして１以上のドメインを特定するため、セルフサービスユーティリティを介し登録してもよい。ウェブサイト又はオンラインストアは、このタイプのドメインの具体例である。ストアのカスタマなど、これらのドメインの既存のユーザである消費者は、合成された情報のソースとメッセージングとしてこれらのドメインを含むことを選択してもよい。一例では、オンライン電子ストアのカスタマは、エレクトロニクスに関する主題を探索しているとき、当該ストアから関連する製品を通知されることを所望するかもしれない。アフィリエイトモデル。取引宣伝モデル、スポンサーシップモデル及び他の多数のものを含む、このタイプのプロモータ・消費者インタラクションをサポートする多数の金銭収入モデルがある。
【００７６】
図４、図５及び図６を参照して、パブリックウェブサイトなどの宣伝情報ソースが、例えば、意味解析により処理されるパブリック及び他の関連コンテンツと共に、意味表現の生成のためにそれを準備するためのステージングへの入力として提供されてもよい。意味表現生成手段は、消費者のコンテクストに関連する消費者のコンセプト定義を生成するものであってもよい。
【００７７】
これらの消費者コンセプト定義を生成する手段の一例として、意味解析が、限定することなく、スキーママッピング、統計クラスタリング、自然言語処理、エンティティ抽出及びファセット解析を含むいくつかのアプローチを用いて実行可能である。意味解析ステージでは、宣伝情報は、非プロモート情報と共に処理され、追跡される。解析ステージを介し生成される情報は、広告主情報が関連する主題によりグループ化されるコンセプト定義などの意味表現の形式により格納されてもよい。
【００７８】
一例は、コンセプト定義Ｃ：｛ドメイン宣伝１，主題ｋ１，ｋ２｝、コンセプト定義Ｃ１：｛Ｓｕｎｒｉｓｅ  Ａｐｐｌｅ  Ｆａｒｍｓ，Ａｐｐｌｅ，Ｆａｒｍ｝、コンセプト定義Ｃ２：｛Ｇｒｅａｔ  Ｆｕｒｎｉｔｕｒｅ  Ｃｏ，Ｃｈａｉｒ，Ｔａｂｌｅ，Ｗｏｏｄ｝である。
【００７９】
上述されるように、ドメインのステージング及び意味解析を求める代わりに、すでに解析されたコンテンツのドメインが提供可能である。
【００８０】
意味解析ステージは、消費者インタラクション情報が消費者コンセプト定義などの意味表現を生成するのに提出される意味合成ステージに続いてもよい。消費者インタラクション情報は、検索クエリ、意味ネットワーキング生成情報若しくは人口統計情報などの消費者関連の収集された情報、消費者によりブラウズされた第三者ウェブサイトのコンテンツ、又は消費者コンセプト定義を構成するため提出されたブラウジング履歴を含む、消費者により提供される情報であってもよい。生成されるセマンティックネットワークは、例えば、思考ネットワークなどとすることが可能であり、ここで、消費者インタラクション情報が、思考ネットワークを構成する部分であり、出力は結果として得られる思考ネットワークにより整理及び照合されたコンテンツを有するウェブページである。
【００８１】
意味合成は、限定することなく、ファセット分類、意味推論手段、フォーマルコンセプト解析、マルチ文書要約、又はこのような多数のアプローチを合成するハイブリッド意味合成プロトコルを含む何れかの個数の意味合成アプローチを用いて実行されてもよい。消費者コンセプト定義は、図６に示されるように、消費者により送信された情報に関する関連するコンセプト定義から構成されるコンセプトである。消費者コンセプト定義は、使用されるアルゴリズムのタイプに依存してもよい意味合成ルールを適用することによって生成される。意味処理のすべての段階において、メディア表現におけるプロモート又は非プロモートコンテンツは、プロモータ（広告主など）に追跡可能とすることができる。メディア表現におけるプロモート又は非プロモートコンテンツをプロモータに追跡可能にすることは、例えば、各プロモート又は非プロモートコンテンツに一意的な識別子（ＩＤ）を提供するなどによって実現可能である。意味合成により生成されるメディア表現はまた、それがプロモータにリンクされるように、ＩＤにリンク付けされてもよい。この追跡可能性は、特定の表現されたコンテンツに対するプロモータの特定だけでなく、ここに開示されるフィードバックループもまた可能にする。
【００８２】
プロモート及び非プロモートコンテンツの合成、統合又は混合された出力は、当該処理を実質的に完了させ、これにより、合成、統合又は混合された意味合成されたコンテンツは、知識ベースの開発、検索結果の表示、図７に示されるようなウェブページなどの文書の自動生成、又は消費者の入力を取得し、出力結果を表示する他の何れかカスタマイズされたアプリケーションを含む広範なアプリケーションの基礎として利用される準備ができている。これらのアプリケーションは、メディア表現内の合成されたコンテンツを合成、統合又は混合する。メディア表現の一例は、図７に示され、消費者によりアクセスされるウェブページは、メッセージングリードを用いてプロモートコンテンツを埋め込むことによって変更される。
【００８３】
図４に示されるように、解析ステージ及び／又は合成ステージへの出力からのフィードバックループがあってもよい。これは、メディア表現内のメッセージのパフォーマンスに関するフィードバックレポートを表す。フィードバックレポートを意味処理することによって、プロモート又は非プロモートコンテンツが分解され、各種の異なるメッセージ及び消費者により生成されるコンテクストとに再合成、再統合又は再混合されてもよい。このフィードバックレポートは、消費者に反響するメッセージング及びコンテンツに関してプロモータ（広告主など）に通知することが可能である。それは、プロモータがこの効果を予め予測及び測定しようとすることを回避し、ターゲットされるべきメッセージング及びコンテンツを検出することを可能にする。このフィードバックレポートを通知するのに利用されてもよい指標は、特定のプロモートコンテンツがクリック又はフォローアップ（アクセス）される回数、全ての消費者コンテクストに対するフォローアップ／回数表示されたレシオ、及び異なる各消費者コンテクスト内のフォローアップ／回数表示されたレシオに関する情報を含むものであってもよい。
【００８４】
フィードバックレポートの意味処理は、解析ステージ及び／又は合成ステージにおいて可能である。
【００８５】
このパフォーマンスレポートは、プロモート又は非プロモートコンテンツの表示優先度を調整するよう自動設定されてもよい解析ステージに供給されてもよい。これらの表示優先度は、それが低フォローアップ／回数表示レシオを有する場合、同一の消費者コンテクスト内の他のプロモータのコンテンツに置換するため、ある消費者コンテクストからプロモータのコンテンツを削除又はリオーダリングすることを含むものであってもよい。この処理は、プロモート及び非プロモートコンテンツの再配布が所与の消費者コンテクスト内で行われることを確実にする。この再配布は、ある確定可能な又は任意の時間制限後又はトライアルベースにより、所与の消費者コンテクストのための最適に成功したプロモータを他のプロモータに自動的に置換することによってさらに向上させるようにしてもよい。このステップは、自らのコンテンツをテストする新たなプロモータのエクスポージャのための方法を生成する。
【００８６】
パフォーマンスレポートはさらに又はあるいは、合成ステージにフィードバックされてもよい。合成ステージは、プロモータの打ち切り、新たなプロモータの導入、又は解析が変更される必要がなく、優先度のみのフィードバックデータに基づきプロモータの優先度をシャッフルするなどの、合成ステージにより処理可能な指標に適応することが可能である。
【００８７】
プロモータのより高い表示優先度はまた、プロモータのコンテンツが表示される確率をより高く割当て、及び／又は表示用の順序シーケンスにおいてより大きな数字を割当てるのに利用可能である。
【００８８】
消費者によりブラウズされる第三者のウェブサイトからのコンテンツはまた、コンテクスト生成手段（消費者インタラクション情報と共に、メッセージングリードを生成するものからの非プロモートコンテンツを提供する）として機能することができる。プロモータは、第三者ウェブサイトからのコンテンツと消費者コンテクストとの間の接続の生成又は推定を可能又は実行するようドメインアドミニストレータに指示可能である。第三者ウェブサイトからのコンテンツは、プロモートされたコンテンツと共に意味処理されるコンテクストと非プロモートコンテンツとの双方を提供する。意味処理は、ステージングから始まり、解析にシフトし、ページの主題により推定又は意味する消費者コンテクストに基づきメッセージングを最終的に合成するようにしてもよい。この側面は、分散化されたコンテンツネットワークをサポートし、従来のプロモータ・出版社モデルにおける非プロモートコンテンツの管理を効果的にアウトソースする。この配布モデルは、例えば、宣伝ネットワーク、アフィリエイトネットワーク又は同様の複数主体プロモーションモデルの処理をサポートする。
【００８９】
メディア表現が表示される準備ができると、出力において同じ場所又はページに適したメッセージ数の配置に関して処理されるべき問題がある。この問題を処理するための１つの方法は、単一のパラメータ又はパラメータの組み合わせを用いることによって、メッセージの表示優先度に影響を与えるシンプルな調整を実行することである。パラメータの具体例として、限定することなく、関連性、より高い料金、消費者のＩＰアドレスローカリティ及び／又はローカルに関連するメッセージを提供するための消費者のＧＰＳ座標があげられる。メッセージにより多くのプロモート及び／又は非プロモートコンテンツを配置するための他の可能な方法は、複数のプロモータ又はメッセージを収容するため、出力を更新することによって結果をタイムスライスすることである。
【００９０】
貨幣化は、メディア表現内のメッセージの表示により行われてもよい。メディア表現は表示されると、貨幣化がまた、消費者のメッセージのクリック後、又は実際の購入アクションの実行後に行われてもよい。貨幣化は、取引又はインタラクションの組み合わせに依存してもよい。貨幣化はまた、部分的に意味解析ステージにおいてプロモートコンテンツの処理のサービスに依存するものであってもよい。他の形態の貨幣化は、印象に基づき購入された宣伝を示すＣＰＭモデルによってあろう。さらに、他の形態の貨幣化は、パフォーマンス結果とフィードバックレポートとをプロモータに転送することから生じうるものである。
【００９１】
本発明はまた非プロモートコンテンツのみに基づき、すなわち、プロモートコンテンツなしに、プロモータがソースドメイン情報を提供する必要なく、消費者にメッセージング（宣伝など）のマッチングを提供することが理解されるべきである。本例では、プロモータは、本発明の処理により生成されるメッセージングが基づくコンテンツを指定することなく、コンセプトのみを提供してもよい。
【００９２】
非プロモートコンテンツベースのメッセージングのための本発明の２つの主要な動作モードがある。すなわち、（１）プロモータが、コンセプト以外のプロモートコンテンツを提供するのでなく、コンテンツを生成するためのパラメータを操作することによって解析及び合成処理に影響を与え、（２）プロモータが、上述されるような“シード処理”コンセプトと同様のメッセージングの生成に対する“パッシブ”アプローチをとる。
【００９３】
第１の動作モードでは、システムの処理により提供されるユーザインタフェースは、システムの解析及び合成方法内のパラメータをプロモータに明らかにすることが可能である。プロモータは、これらのパラメータを利用して、コンセプト及び接続の解析及び合成における異なる結果をもたらすことができる。これらのパラメータの調整は、特定のプロモータの目標又は目的に結び付けることが可能な生成されたメッセージングに関して異なる消費者の体感を生成することが可能である。例えば、プロモータが自らのブランドと調和する保守的な印象を生成することを所望する場合、プロモータは、生成されるコンセプト及び接続の可変性を低減するため、パラメータを厳しくすることが可能である。最適なシステムパラメータの設定にプロモーション目標を結び付けるための多数の方法があり、非技術的プロモータのための処理を簡単化する。
【００９４】
第２の動作モードでは、プロモータは、パッシブな役割を担い、ドメイン情報又はメソッドパラメータを介しシステムの処理に影響を与えようと試みない。その代わりに、プロモータは、本発明のシステムにより実現されるサービス設計が提供する１以上の可能なプロモーション目標から選択する。これらの目標は、消費者を位特定のブランドプログラムに対する特定のウェブサイトやサポートメッセージングに導くなどのアクティビティを含むものであってもよい。第１モードに関して、システムは、メソッドパラメータとコミュニティ（パブリック又は共有）ドメインの特定の設定にこれらの目標を揃えることが可能である。双方の動作モードにおいて、システムは、上述されたフィードバックループを介し経時的に宣伝キャンペーンを進化及び最適化することが可能である。
【００９５】
例えば、ユーザのコミュニティは、全体としてマーケットを表すものであってもよい。これらのコミュニティは、インタラクションを提供する消費者、集約された消費者インタラクション情報を提供するフォーカスグループ、又はこれら２つの組み合わせであってもよく、各消費者インタラクションがまず集められ、その後にシステムに提供される。コミュニティは、個々の消費者がシステムによってコミュニティに配置可能であるとき、消費者の共有する関心などに基づき構成される必要はない。
【００９６】
コミュニティは、コンテンツに寄与することによって、又はドメインの外部のコンテンツにリンクすることによって、ドメインを生成又は追加してもよい。
【００９７】
本発明のシステムは、これらの動作モードを本発明の他の実施例と組み合わせることが可能である。例えば、プロモータは、主としてパッシブな役割をとるが、依然としてプロモートコンテンツを提供してもよい。プロモータはまた、目標としてウェブサイトアドレスを提供することによって、プロモートコンテンツを暗黙的に提供するようにしてもよい。その後、システムは、特定のプロモートコンテンツのためのウェブサイトを自動的に取得することができる。この最後の例では、ウェブサイトアドレスを提供することによって、広告主には、これらが検出可能な位置を示すことによってプロモートコンテンツが提供されていることが理解されるべきである。
［実現形態］
図８は、本発明によるネットワーク接続された実現形態を示す。本発明は、図示される特定のネットワークの実現形態に限定されるものとみなされるべきでない。本発明は、少なくとも１つの計算装置を有する分散化及びネットワーク化された計算環境を用いて実現されてもよい。特定の実現形態では、少なくとも３つの計算装置セットが備えられてもよい。各計算装置セットは、ネットワークによりリンクされた１以上の計算装置を有してもよい。典型的には、少なくとも１つの計算装置セットが、ネットワークを介し第２計算装置セットにプロモート及び／又は非プロモートコンテンツを生成及び送信する。第２計算装置セットは、コンテンツを受信し、当該コンテンツを合成、統合又は混合してもよい。第２計算装置セットは、ステージングし、意味解析し、関連するコンテンツを合成する。しかしながら、コンテンツの生成、合成、統合又は混合、並びに解析及び合成は、１から多数までの何れかの個数の計算装置に対して処理されてもよい。
【００９８】
少なくとも第３計算装置セットは、さらなるステージング、解析及び合成のため、第２計算装置セットに送信される消費者統合情報のソースを取得又は受信するのに利用されてもよい。再び、消費者インタラクション情報は、上述されたように、同じ計算装置又は何れかの個数の他の計算装置において提供することが可能である。消費者インタラクション情報は、消費者又はマシーンにより生成されてもよい。例えば、消費者インタラクション情報は、消費者からクエリ又は他のコンテクスト入力を受信するよう動作可能であるか、消費者に関する人口統計情報又はブラウジング情報を用いて生成されてもよく、又は上述されるような他の何れかの消費者インタラクションとして提供されてもよい、インタフェースを用いて消費者により生成されてもよい。マシーンにより生成される消費者インタラクション情報は、例えば、ＧＰＳデータ、他のセンサデータなどに基づくものであってもよい。第３計算装置セットはまた、ネットワークを介し結果として得られるコンテンツ及び情報を受信し、第２計算装置セットにより意味的にカスタマイズされた出力を消費者に表示する。出力表示手段は、第３計算装置セットにリンクされたモニタ又は他の表示装置とすることが可能である。特に、第３計算装置セットが無線ゲートウェイと出力を表示するための１以上の無線装置とを有する場合、無線装置には、ユーザ体感を向上させるため、アクセラレータなどのビデオ／イメージスタビライザが備えられてもよい。
【００９９】
消費者は、第３計算装置セットにリンクされた消費者プロファイルと関連付けされてもよい。プロファイルは、消費者がネットワークとやりとりする度に、消費者情報を消費者にリンクするよう動作可能であってもよい。消費者情報は、それが生成されると、消費者に戻すことができる。
【０１００】
第２計算装置セットは、ステージングエンジン、解析エンジン及び合成エンジンにリンクされてもよい。ステージングエンジンは、解析のため、プロモートコンテンツのソースからコンテンツを抽出及び変換し、システムにロードする。システムは、パブリックソースからのものなど、非プロモートコンテンツと別々にプロモートコンテンツを維持してもよい。これは、プロモータへのプロモートコンテンツのトレーシングと非プロモートコンテンツと異なってプロモートコンテンツを処理する能力との双方を可能にするものであってもよい。解析エンジンは、プロモートコンテンツを含むステージングされたすべてのコンテンツを要素レベルに分解し、セマンティックデータを抽出し、それをす万ティックカーネルに圧縮する。解析後、プロモート及び非プロモートコンテンツは、別々のデータソースとして維持されてもよい。合成エンジンは、関連するプロモート又は非プロモートコンテンツを、システムがそれの出力であるメッセージに動的に構成するメッセージングリードに合成する。当該出力は、上述されたアプリケーションを用いて消費者に提供されてもよい。本発明の一態様では、出力はハイパーテキスト又はハイパーメディアフォーマットによるリンクを含む１以上のウェブページに表示される。これらのリンクは、上述されるように、プロモータのウェブサイト、プロモータにより提供される他のコンテンツ、又はプロモートにリンクされるパブリックコンテンツを含む非プロモートコンテンツなど、プロモートコンテンツにリンクされたメッセージングリードに基づき埋め込まれてもよい。
【０１０１】
さらなる実現形態では、ローカルに又は消費者の制御の下、計算装置上で合成が提供可能である。従って、合成により提供される関連するメッセージングは、消費者のよりプライベートな制御の下で維持可能である。
【０１０２】
プロモートコンテンツが消費者に出力において現れる確率がより高く又はより低くなるように、プロモートコンテンツと非プロモートコンテンツとを異なって処理するようエンジンが構成可能であるユーティリティが提供されてもよい。
【０１０３】
さらに、出力された非プロモートコンテンツに対するプロモートコンテンツのレシオの直接的又は間接的設定のための手段が備えられてもよい。このレシオは、自らのコンテンツが使用されたプロモータ又はプロモータのクラスの確率に基づき決定されてもよい。このコンテンツは、オフライン統計解析又はリアルタイム自動解析に基づき収集可能である。上記手段はまた、上述されるように貨幣化を設定し、又は上述されるようなパフォーマンスレポート（表示優先度など）又は指標に関してとられるべき適切なアクションを設定するのに利用可能である。
【０１０４】
開示されるシステム、方法及びコンピュータプログラムに対するさらなる改良が想定され、上記の一般性を限定することなく、以下の具体的な改良が想定されることが理解されるべきである。
【０１０５】
任意的には、関連するメッセージングを消費者に配信するパフォーマンスを向上させるため、ドメインの一部の合成を実行するためのさらなる初期的なステップが設けられてもよい。例えば、ドメインの一部は、そうでない場合に可能であるよりも迅速に関連するメッセージングを提供するため、消費者インタラクション情報と共に解析及び／又は合成エンジンに入力可能である。
【０１０６】
さらに、本発明の機能を向上させるため、例えば、ドメインの解析及び／又は合成前に特定のコンテンツを要約するなど、解析前ステージを設けることが可能である。例えば、既存のセマティックデータベース又はすでに完了したセマンティック表現が入力されてもよい。注釈付けされたウェブは、このタイプのコンテンツの具体例である。
【０１０７】
さらに、任意的に、ドメインの特定レベルが、パフォーマンスの向上のため、やりとりするドメインの規模を限定するのに規定できる。
【０１０８】
１以上の計算装置がモバイル装置又は無線ネットワーク装置であるさらなる向上が備えられてもよい。例えば、ネットワークは、無線ネットワークとインターネットとをリンクさせるための無線ゲートウェイを含む無線ネットワークであってもよく、又はそれを含むものであってもよい。第１計算装置セットは、１以上の無線ネットワーク装置がインターネットにアクセスすることを可能にするため、インターネットにリンクされる無線ゲートウェイであってもよく、又はそれを含むものであってもよい。第２計算装置セットの１以上が、無線ゲートウェイによりインターネットにリンクされる無線ネットワーク装置として同様に備えることが可能である。第３計算装置セットは、例えば、無線スマートフォン、無線コンピュータ又は無線コンピュータネットワーク又はセルラネットワークによりインターネットに無線リンクされるコンピュータなどを含むものであってもよい。上述された無線ネットワーク装置は、消費者インタラクション情報を取得、受信又はソースとなり、消費者に出力を表示又は提供するブラウザを有してもよい。無線ネットワーク装置にはまた、例えば、消費者インタラクション情報の一部としてＧＰＳ位置情報を提供するよう動作可能なＧＰＳ受信機、及び／又は動き若しくはジェスチャに基づく情報を提供するよう動作可能な１以上のアクセラレータ若しくは他の動きセンサなどを含む、消費者インタラクション情報を提供するためのさらなる機能を備えることができる。従って、消費者に返されるメッセージングは、位置、動き及び／又はジェスチャ関連コンテンツを含むものであってもよい。
【図１】
2014238858.tif 000003
【図２】
2014238858.tif 000004
【図３】
2014238858.tif 000005
【図４】
2014238858.tif 000006
【図５】
2014238858.tif 000007
【図６】
2014238858.tif 000008
【図７】
2014238858.tif 000009
【図８】
2014238858.tif 000010